(57)【要約】【課題】測定者間の測定誤差を軽減し、さらに汚損度の測定を簡便かつ迅速に行なうこと。【解決手段】測定表面７に設置され、当該測定表面７から汚損物質を採取する汚損物質採取手段１と、汚損物質採取手段１により採取された汚損物質が溶解する溶液を循環させる汚損溶液循環手段２と、溶液の電導度またはイオン濃度を測定する測定手段３と、測定手段３による測定値を汚損度に変換する演算手段４と、演算手段４により変換された汚損度を表示する表示手段５とを備える。【選択図】    図１
2004177342.tif 000002
【特許請求の範囲】
【請求項１】
測定表面に設置され、当該測定表面から汚損物質を採取する汚損物質採取手段と、
前記汚損物質採取手段により採取された汚損物質が溶解する溶液を循環させる汚損溶液循環手段と、
前記溶液の電導度またはイオン濃度を測定する測定手段と、
前記測定手段による測定値を汚損度に変換する演算手段と、
前記演算手段により変換された汚損度を表示する表示手段と、
を備えて成ることを特徴とする汚損度測定装置。
【請求項２】
前記請求項１に記載の汚損度測定装置において、
前記汚損物質採取手段としては、
前記測定表面との間で液密容器を形成し、
前記汚損物質を溶解させる汚損物質溶解手段と、
容器内に純水を注入する純水注入手段と、
前記汚損物質が溶解された溶液を排出する溶液排出手段と、
を含んでいることを特徴とする汚損度測定装置。
【請求項３】
前記請求項２に記載の汚損度測定装置において、
前記汚損物質溶解手段としては、振動ブラシ、または圧縮ガスのうちの少なくともいずれか一方であることを特徴とする汚損度測定装置。
【請求項４】
前記請求項２に記載の汚損度測定装置において、
前記純水注入手段としては、
純水を蓄える純水容器と、
前記純水容器に蓄えられた純水を圧送するポンプと、
を有することを特徴とする汚損度測定装置。
【請求項５】
前記請求項２に記載の汚損度測定装置において、
前記溶液排出手段としては、圧縮ガスであることを特徴とする汚損度測定装置。
【請求項６】
前記請求項２に記載の汚損度測定装置において、
前記液密容器の前記測定表面に接触する部分に、防水シールを固着していることを特徴とする汚損度測定装置。
【請求項７】
前記請求項２に記載の汚損度測定装置において、
前記液密容器の大きさを少なくとも２種類以上有していることを特徴とする汚損度測定装置。
【請求項８】
前記請求項１に記載の汚損度測定装置において、
前記汚損溶液循環手段としては、
汚損物質が溶解する溶液を蓄える容器と、
前記容器に蓄えられた溶液を圧送するポンプと、
を有することを特徴とする汚損度測定装置。
【請求項９】
前記請求項８に記載の汚損度測定装置において、
前記汚損物質が溶解する溶液を蓄える容器としては、
計量用の目盛りと、
密閉機構と、
を有することを特徴とする汚損度測定装置。
【請求項１０】
前記請求項１または請求項９に記載の汚損度測定装置において、
前記測定手段としては、汚損物質が溶解する溶液を蓄える容器の内部に、複数の電極を含んでいることを特徴とする汚損度測定装置。
【請求項１１】
前記請求項１０に記載の汚損度測定装置において、
前記複数の電極としては、少なくとも電導度測定電極を含む選択性イオン電極であることを特徴とする汚損度測定装置。
【請求項１２】
前記請求項１に記載の汚損度測定装置において、
前記汚損溶液循環手段と、前記測定手段と、前記演算手段と、前記表示手段とを、同一筐体内に設けていることを特徴とする汚損度測定装置。
【発明の詳細な説明】
【０００１】
【発明の属する技術分野】
本発明は、電気機器（特に、産業用電気機器）の汚損状態を把握するための汚損度測定装置に係り、特に測定者間の測定誤差を軽減し、さらに汚損度の測定を簡便かつ迅速に行なえるようにした汚損度測定装置に関するものである。
【０００２】
【従来の技術】
一般に、産業用電気機器は主要な生産設備であるため、長期に渡り使用されることが多い。
【０００３】
しかしながら、長期間使用すると、金属部品表面が徐々に腐食性物質等によって汚損され、さらに、高温高湿度の条件が重なると、絶縁低下や腐食が発生することがある。
【０００４】
特に、機器が、腐食性ガスの多い工業地域や、海塩粒子の多い臨海地域にある場合には、一層汚損され易い。
【０００５】
そのため、経年的な汚損状態の変化をあらかじめ把握しておく必要がある。
【０００６】
また、電気機器が火災に遭った場合、塩化ビニール電線が燃焼して発生する塩化水素ガスは、腐食性の高いものであり、消火に用いる消火剤にも腐食性物質が含まれている場合がある。
【０００７】
したがって、燃焼を免れた機器も、これらの腐食性物質により、経年的に腐食することがあり、ガスや消火剤の影響を受けた範囲を把握することは、腐食被害を防ぐために重要なことである。
【０００８】
そこで、このような腐食性物質の影響を定量的に把握するための指標として、汚損度、すなわち、機器表面の汚損物質を溶かした汚損液の電気電導度（以下、単に電導度と称する）を等価塩分量に換算し、単位面積当たりの塩化ナトリウム付着量として求めた値がある。
【０００９】
そして、このような汚損物質の採取方法としては、従来から、スミヤ法と呼ばれる、純水で湿らせた脱塩処理ガーゼを用いて、機器の表面を所定面積だけ拭き取る方法がある。
【００１０】
【特許文献】「特願２０００−４０３０９１」
【００１１】
【発明が解決しようとする課題】
しかしながら、このようなスミヤ法では、一回で全ての汚損物質を拭き取ることができない。
【００１２】
そのため、ガーゼの面を変えて数回拭き取ることにより、できるだけ多くの汚損物質を採取するようにしているが、かかる方法でも、測定者によって採取量が異なる可能性があり、また汚損が著しい場合には、全ての汚損物質を採取しきれないことがある。
【００１３】
さらに、汚損度に寄与しているイオン成分を特定して定量するためには、汚損物質を溶解した溶液をイオンクロマトグラフ装置で分析する必要がある。
【００１４】
ところが、このようなイオンクロマトグラフ装置の多くは、設置が固定されていることから、イオン成分を簡便かつ迅速に測定することは困難であるという問題がある。
【００１５】
本発明の目的は、測定者間の測定誤差を軽減し、さらに汚損度の測定を簡便かつ迅速に行なうことが可能な汚損度測定装置を提供することにある。
【００１６】
【課題を解決するための手段】
上記の目的を達成するために、本発明の汚損度測定装置は、測定表面に設置され、当該測定表面から汚損物質を採取する汚損物質採取手段と、汚損物質採取手段により採取された汚損物質が溶解する溶液を循環させる汚損溶液循環手段と、溶液の電導度またはイオン濃度を測定する測定手段と、測定手段による測定値を汚損度に変換する演算手段と、演算手段により変換された汚損度を表示する表示手段とを備えて成る。
【００１７】
また、本発明の汚損度測定装置においては、上記汚損物質採取手段としては、測定表面との間で液密容器を形成し、汚損物質を溶解させる汚損物質溶解手段と、容器内に純水を注入する純水注入手段と、汚損物質が溶解された溶液を排出する溶液排出手段とを含んでいる。
【００１８】
一方、本発明の汚損度測定装置においては、上記汚損物質溶解手段としては、振動ブラシ、または圧縮ガスのうちの少なくともいずれか一方としている。
【００１９】
また、本発明の汚損度測定装置においては、上記純水注入手段としては、純水を蓄える純水容器と、純水容器に蓄えられた純水を圧送するポンプとを有している。
【００２０】
さらに、本発明の汚損度測定装置においては、上記溶液排出手段としては、圧縮ガスとしている。
【００２１】
また、本発明の汚損度測定装置においては、上記液密容器の測定表面に接触する部分に、防水シールを固着している。
【００２２】
さらに、本発明の汚損度測定装置においては、上記液密容器の大きさを少なくとも２種類以上有している。
【００２３】
一方、本発明の汚損度測定装置においては、上記汚損溶液循環手段としては、汚損物質が溶解する溶液を蓄える容器と、容器に蓄えられた溶液を圧送するポンプとを有している。
【００２４】
また、本発明の汚損度測定装置においては、上記汚損物質が溶解する溶液を蓄える容器としては、計量用の目盛りと、密閉機構とを有している。
【００２５】
一方、本発明の汚損度測定装置においては、上記測定手段としては、汚損物質が溶解する溶液を蓄える容器の内部に、複数の電極を含んでいる。
【００２６】
また、本発明の汚損度測定装置においては、上記複数の電極としては、少なくとも電導度測定電極を含む選択性イオン電極としている。
【００２７】
さらに、本発明の汚損度測定装置においては、上記汚損溶液循環手段と、測定手段と、演算手段と、表示手段とを、同一筐体内に設けている。
【００２８】
従って、本発明の汚損度測定装置においては、汚損溶液循環手段と、測定手段と、演算手段と、表示手段とを、一つの筐体内に収納することにより、可搬性を持たせることができるため、汚損度の測定を簡便かつ迅速に行なうことができ、その結果、測定作業の効率向上を図ることができる。
【００２９】
また、本発明の汚損度測定装置においては、純水への汚損物質の採取を振動ブラシで行ない、同時に圧縮ガスを併用することにより、汚損面の洗浄効果を高めることができるため、汚損物質を容易にかつ完全に採取することができる。
【００３０】
さらに、本発明の汚損度測定装置においては、汚損溶液を循環させて、その電導度を連続的に測定することにより、汚損物質が完全に除去されたことを確認できるため、測定者間の測定誤差を軽減することができ、スミヤ法よりも定量的にかつ客観的に汚損度を測定することができる
一方、本発明の汚損度測定装置においては、汚損程度に応じて純水量を増減させることができ、さらに、採取面積も選択することができるため、広範囲の汚損度を精度良く測定することができる。
【００３１】
また、本発明の汚損度測定装置においては、測定表面に接触する部分に防水シール機構を備えることにより、測定表面への純水の漏水を防止することができるため、漏水による測定誤差もなくなり、さらに圧縮ガスにより測定容器および管路に残留した溶液を除去することができるため、測定誤差が少なくなり、その結果、客観的に正確な汚損度の測定を行なうことができる。
【００３２】
さらに、本発明の汚損度測定装置においては、汚損物質を溶解した溶液を可搬式容器に分取する構成とすることにより、例えばイオンクロマトグラフ装置等によって、より精密に溶液を分析することができる。
【００３３】
また、本発明の汚損度測定装置においては、汚損物質を溶解した溶液の入った容器中に、複数の異なる電極を備えることにより、一度に複数の電導度およびイオン濃度を測定することができる。
【００３４】
さらに、本発明の汚損度測定装置においては、電極に選択性イオン電極を備えることにより、簡易的にイオン量を定量することができる。
【００３５】
【発明の実施の形態】
以下、本発明の一実施の形態について図面を参照して詳細に説明する。
【００３６】
図１は、本実施の形態による電気機器用の汚損度測定装置の構成例を示す機能ブロック図である。
【００３７】
すなわち、本実施の形態による汚損度測定装置は、図１に示すように、汚損物質採取部１と、汚損溶液循環部２と、電導度測定部３と、演算装置４と、表示装置５とから構成している。
【００３８】
ここで、汚損物質採取部１以外の、汚損溶液循環部２と、電導度測定部３と、演算装置４と、表示装置５とは、同一の筐体６に収納して、可搬性を持たせている。
【００３９】
汚損物質採取部１は、測定表面７に設置され、当該測定表面７から汚損物質を採取する。
【００４０】
汚損溶液循環部２は、汚損物質採取部１により採取された汚損物質が溶解する溶液を循環させる。
【００４１】
電導度測定部３は、溶液の電導度またはイオン濃度を測定する。
【００４２】
演算装置４は、電導度測定部３による測定値を汚損度に変換する。
【００４３】
表示装置５は、演算装置４により変換された汚損度を表示する。
【００４４】
図２は、図１における汚損物質採取部１の機能構成例を示す概要図である。
【００４５】
図２において、測定表面７との間で液密容器を形成するように、汚損物質の採取容器８が設けられており、この採取容器８の下部、すなわち測定表面７に接触する部分は、防水シール９で固着して覆われている。
【００４６】
そして、この防水シール８の部分を、測定表面７に接触させることによって、後述する純水が採取容器８から測定表面７に漏れないようになっている。
【００４７】
また、この採取容器８の上部には、汚損物質溶解手段である振動ブラシ１０が取り付けられており、この振動ブラシ１０の振動によって、測定表面７の汚損物質が掻き取られるようになっている。
【００４８】
さらに、この採取容器８の上部には、ノズル１１が取り付けられており、純水や圧縮ガス１２が吹き出すようになっている。
【００４９】
さらにまた、この採取容器８の側面には、溶液の排出口１３が設けられており、採取容器８中の汚損物質が溶解する溶液を排出できるようになっている。
【００５０】
図３は、図１における汚損溶液循環部２および電導度測定部３の機能構成例を示す概要図である。
【００５１】
図３において、純水注入手段である容器１４が設けられており、この容器１４中には純水１５が蓄えられている。
【００５２】
また、この容器１４の上部には、純水１５を圧送して循環させるポンプ１６と、溶液の排出口１３と連結された排水管１７とが設けられており、汚損物質を溶解させた溶液が、容器１４に環流するようになっている。
【００５３】
さらに、この容器１４の内部には、複数の電極１８が取り付けられている。
【００５４】
この複数の電極１８は、純水１５に汚損物質を溶解した後の溶液の電導度やイオン濃度を測定するものであり、したがってこれらの電極１８によって、同時に複数の測定を行なうことができるようになっている。
【００５５】
この電極１８としては、例えば、電導度測定用電極、ＰＨ測定用電極、温度測定用電極、フッ素イオン測定用電極、塩素イオン測定用電極、硝酸イオン測定用電極、亜硝酸イオン測定用電極、臭素イオン測定用電極、硫酸イオン測定用電極、リン酸イオン測定用電極、リチウムイオン測定用電極、ナトリウムイオン測定用電極、アンモニウムイオン測定用電極、カリウムイオン測定用電極等の陽イオンまたは陰イオン測定用電極が取り付けられている。
【００５６】
次に、以上のように構成した本実施の形態による汚損度測定装置における汚損度測定方法について説明する。
【００５７】
まず、汚損度を測定する測定表面７の測定位置に、採取容器８の防水シール９を固着させる。
【００５８】
次に、ポンプ１６を作動させて、容器１４中の純水１５を汚損物質の採取容器８へ送る。
【００５９】
そして、かかる状態で振動ブラシ１０を作動させて、汚損物質を機械的に掻き取る。
【００６０】
さらに、洗浄効果を高めるためには、ノズル１１から圧縮ガス１２を噴射する。
【００６１】
汚損物質を含んだ溶液は、排出口１３から排水管１７を通って、再び容器１４へ戻される。
【００６２】
そして、複数の電極１８により、容器１４中の溶液の電導度を連続的に測定する。
【００６３】
すなわち、複数の電極１８からの出力信号が、電導度測定部３へ送られて、電導度信号に変換される。
【００６４】
この電導度信号は、演算装置４に送られて汚損度が計算され、その計算結果が表示装置５に表示される。
【００６５】
この表示装置５には、汚損度の他、汚損程度が５段階で区分表示され、その５段階は、汚損度の低い順に、例えば“清浄”、“軽汚損”、“中汚損”、“重汚損”、および“超重汚損”等の表現で表示される。
【００６６】
そして、演算装置４での計算結果が表示装置５に表示されると、振動ブラシ１０、およびポンプ１６を停止させる。
【００６７】
その後、ノズル１１から圧縮ガス１２を噴射させて、採取容器８に残存している溶液を容器１４へ排出する。
【００６８】
この場合、容器１４として蓋付きの容器を用いると、例えばイオンクロマトグラフ装置で、溶液をより精密に分析することができる。
【００６９】
上述したように、本実施の形態による電気機器用の汚損度測定装置では、汚損物質採取部１以外の、汚損溶液循環部２、電導度測定部３、演算装置４、および表示装置５を、一つの筐体６内に収納するようにしているので、可搬性を持たせることができるため、汚損度の測定を簡便かつ迅速に行なうことができ、その結果、測定作業の効率向上を図ることが可能となる。
【００７０】
また、純水への汚損物質の採取を振動ブラシ１０で行ない、同時に圧縮ガス１２を併用するようにしているので、汚損面の洗浄効果を高めることができるため、汚損物質を容易にかつ完全に採取することが可能となる。
【００７１】
さらに、汚損溶液を循環させて、その電導度を連続的に測定するようにしているので、汚損物質が完全に除去されたことを確認できるため、測定者間の測定誤差を軽減することができ、スミヤ法よりも定量的にかつ客観的に汚損度を測定することが可能となる。
【００７２】
一方、汚損程度に応じて純水１５量を増減させることができ、さらに、採取面積も選択することができるため、広範囲の汚損度を精度良く測定することが可能となる。
【００７３】
また、測定表面７に接触する底面部分に防水シール９を固着するようにしているので、測定表面７への純水１５の漏水を防止することができるため、漏水による測定誤差もなくなり、さらに圧縮ガス１２により測定容器および管路に残留した溶液を除去することができるため、測定誤差が少なくなり、その結果、客観的に正確な汚損度の測定を行なうことが可能となる。
【００７４】
さらに、汚損物質を溶解した溶液を可搬式容器に分取する構成としているので、例えばイオンクロマトグラフ装置等によって、より精密に溶液を分析することが可能となる。
【００７５】
また、汚損物質を溶解した溶液の入った容器１４中に、複数の異なる電極１８を備えるようにしているので、一度に複数の電導度およびイオン濃度を測定することが可能となる。
【００７６】
さらに、電極１８に選択性イオン電極を備えるようにしているので、簡易的にイオン量を定量することが可能となる。
【００７７】
（その他の実施の形態）
尚、本発明は、上記各実施の形態に限定されるものではなく、実施段階ではその要旨を逸脱しない範囲で、種々に変形して実施することが可能である。
また、上記各実施の形態は可能な限り適宜組み合わせて実施してもよく、その場合には組み合わせた作用効果を得ることができる。
【００７８】
さらに、上記各実施の形態には種々の段階の発明が含まれており、開示される複数の構成要件における適宜な組み合わせにより、種々の発明を抽出することができる。
例えば、上記各実施の形態に示される全構成要件から幾つかの構成要件が削除されても、発明が解決しようとする課題の欄で述べた課題（の少なくとも一つ）が解決でき、発明の効果の欄で述べられている効果（の少なくとも一つ）が得られる場合には、この構成要件が削除された構成を発明として抽出することができる。
【００７９】
【発明の効果】
以上説明したように、本発明の汚損度測定装置によれば、測定者間の測定誤差を軽減し、さらに汚損度の測定を簡便かつ迅速に行なうことが可能となる。
【図面の簡単な説明】
【図１】本発明による電気機器用の汚損度測定装置の一実施の形態を示す機能ブロック図。
【図２】同一実施の形態の汚損度測定装置における汚損物質採取部１の機能構成例を示す概要図。
【図３】同一実施の形態の汚損度測定装置における汚損溶液循環部２および電導度測定部３の機能構成例を示す概要図。
【符号の説明】
１…汚損物質採取部、
２…汚損溶液循環部、
３…電導度測定部、
４…演算装置、
５…表示装置、
６…筐体、
７…測定表面、
８…採取容器、
９…防水シール、
１０…振動ブラシ、
１１…ノズル、
１２…圧縮ガス、
１３…排出口、
１４…容器、
１５…純水、
１６…ポンプ、
１７…排水管、
１８…電極。
【図１】
2004177342.tif 000003
【図２】
2004177342.tif 000004
【図３】
2004177342.tif 000005